(57)【要約】【課題】育成対象者の積極的な参加意欲を喚起して育成対象者に推奨姿勢でトルク掛けを行うことの重要性を実感させ得るトルク掛け練習機を提供する。【解決手段】トルクレンチ２を用いてボルト３を目標トルクまで締め上げるトルク掛けの練習を行うためのトルク掛け練習機１に関し、正ネジのボルト穴及び逆ネジのボルト穴を混在させて複数箇所に穿設した雌ネジプレート５と、該雌ネジプレート５を前後・表裏を変えて着脱可能なベース部材としてのシリンダブロック６と、前記雌ネジプレート５におけるネジ溝が対応するボルト穴に対し螺合可能で且つ互いに同じ外観のボルトヘッドを持つ正ネジのボルト３及び逆ネジのボルト３’とを備える。【選択図】図２
2019035904.tif 000002
【特許請求の範囲】
【請求項１】
トルクレンチを用いてボルトを目標トルクまで締め上げるトルク掛けの練習を行うためのトルク掛け練習機であって、正ネジのボルト穴及び逆ネジのボルト穴を混在させて複数箇所に穿設した雌ネジプレートと、該雌ネジプレートを前後・表裏を変えて着脱可能なベース部材と、前記雌ネジプレートにおけるネジ溝が対応するボルト穴に対し螺合可能で且つ互いに同じ外観のボルトヘッドを持つ正ネジのボルト及び逆ネジのボルトとを備えたことを特徴とするトルク掛け練習機。
【請求項２】
ワークの反転を補助するためのワーク反転機を更に備え、該ワーク反転機によりベース部材をワークとして雌ネジプレートと共に回転可能に支持し、該雌ネジプレートの向きを前記ベース部材ごと変更してトルクレンチによるボルトのトルク掛けを練習し得るように構成したことを特徴とする請求項１に記載のトルク掛け練習機。
【発明の詳細な説明】
【技術分野】
【０００１】
本発明は、トルクレンチを用いてボルトを目標トルクまで締め上げるトルク掛けの練習を行うためのトルク掛け練習機に関するものである。
【背景技術】
【０００２】
従来、熟練作業者から若手作業者等の育成対象者へ向け実務を通し知識やスキルを伝承していく施策としてＯＪＴ（On-the-Job Training）が知られており、例えば、自動車等の機械構造物を組み立てる工場内での組み付け作業に関する経験学習の一環として、トルクレンチを用いてボルトを目標トルクまで締め上げるトルクの掛け方について実践的な研修が行われている。
【０００３】
この種のトルクレンチを用いたトルクの掛け方に関するＯＪＴにおいては、エンジンのシリンダヘッドボルト等を実際に育成対象者にトルクレンチで締めさせて、その作業姿勢や注意点等を教育するようにしており、より具体的には、両足を斜に開いて前傾に構えた姿勢が習得されるように指導している。
【０００４】
即ち、この種のトルク掛けの作業においては、ボルトの螺合状態が不良となっているのに気がつかないまま前記ボルトを締め上げ、目標トルクに締め付ける寸前でいきなりトルクレンチが勢い良く回動してしまったような場合に、もし作業者の両足が揃ってしまっていると、そのままバランスを崩して転倒してしまい易く、頭や腰、肘を周辺構造物にぶつけて怪我を負ってしまう虞れがある。
【０００５】
尚、本発明に関連する先行技術文献情報としては下記の特許文献１等がある。
【先行技術文献】
【特許文献】
【０００６】
【特許文献１】特開２００１−５３７４号公報
【発明の概要】
【発明が解決しようとする課題】
【０００７】
しかしながら、通常業務の中で行われるＯＪＴでは気持ちの切り替えが難しく、積極的な参加意欲が持てないまま研修している育成対象者も少なからずおり、ただ単に熟練作業者が模範的な推奨姿勢で作業する様子を実演して見せたり、育成対象者に模範的な推奨姿勢で作業させてみたりするだけでは、育成対象者の積極的な参加意欲を喚起するまでには到らず、育成対象者に推奨姿勢でトルク掛けを行うことの重要性を実感させることが難しいという課題があった。
【０００８】
本発明は上述の実情に鑑みてなしたもので、育成対象者の積極的な参加意欲を喚起して育成対象者に推奨姿勢でトルク掛けを行うことの重要性を実感させ得るトルク掛け練習機を提供することを目的とする。
【課題を解決するための手段】
【０００９】
本発明は、トルクレンチを用いてボルトを目標トルクまで締め上げるトルク掛けの練習を行うためのトルク掛け練習機であって、正ネジのボルト穴及び逆ネジのボルト穴を混在させて複数箇所に穿設した雌ネジプレートと、該雌ネジプレートを前後・表裏を変えて着脱可能なベース部材と、前記雌ネジプレートにおけるネジ溝が対応するボルト穴に対し螺合可能で且つ互いに同じ外観のボルトヘッドを持つ正ネジのボルト及び逆ネジのボルトとを備えたことを特徴とするものである。
【００１０】
而して、ネジ溝が対応するボルト穴に対し正ネジのボルト及び逆ネジのボルトを予め締結した雌ネジプレートをベース部材に装着した状態として準備し、ＯＪＴ等に参加している育成対象者に一人ずつボルトの目標トルクまでの増し締めを指示すると、逆ネジのボルトに当たった育成対象者が、増し締めをするつもりで力を込めてトルクレンチを回動させた際に、思いがけずボルトが緩んでトルクレンチが勢い良く回動し、その作業姿勢が不適切であると育成対象者が大きく体勢を崩す結果となり、実演中の育成対象者はもとより、その様子を目の当たりにした他の育成対象者らも、推奨姿勢でトルク掛けを行うことの重要性を実感することになる。
【００１１】
この際、正ネジのボルトと逆ネジのボルトとは同じ外観のボルトヘッドとなっていて、雌ネジプレートに締結された状態では見分けがつかないようになっているため、緊張感を維持しながらも、誰が逆ネジのボルトに当たるか判らないというゲーム的要素を備えた研修を行うことが可能となり、これによって、育成対象者の積極的な参加意欲を喚起することも可能となる。
【００１２】
尚、雌ネジプレートは、ベース部材に対し前後・表裏を変えて付け直すことで四通りの配列パターンを選択することが可能であり、雌ネジプレートにおける逆ネジのボルトの締結箇所をその都度変更し、同じ育成対象者が何度参加しても逆ネジのボルトの締結箇所を記憶できないようにすることが可能である。
【００１３】
また、本発明においては、ワークの反転を補助するためのワーク反転機を更に備え、該ワーク反転機によりベース部材をワークとして雌ネジプレートと共に回転可能に支持し、該雌ネジプレートの向きを前記ベース部材ごと変更してトルクレンチによるボルトのトルク掛けを練習し得るように構成することが好ましい。
【００１４】
このようにすれば、ワーク反転機によりベース部材を雌ネジプレートと共に回転して該雌ネジプレートの向きを簡単に変えることが可能となり、様々な向きで締結されたボルトのトルク掛けを練習することが可能となる。
【発明の効果】
【００１５】
上記した本発明のトルク掛け練習機によれば、下記の如き種々の優れた効果を奏し得る。
【００１６】
（Ｉ）本発明の請求項１に記載の発明によれば、緊張感を維持しながらも、誰が逆ネジのボルトに当たるか判らないというゲーム的要素を備えた研修を行うことができるので、育成対象者の積極的な参加意欲を喚起することができ、しかも、実演中の育成対象者だけでなく他の育成対象者らも推奨姿勢でトルク掛けを行うことの重要性を実感することができ、育成対象者らへの教育効果を従来より大幅に向上することができる。
【００１７】
（ＩＩ）本発明の請求項２に記載の発明によれば、ワーク反転機によりベース部材を雌ネジプレートと共に回転して該雌ネジプレートの向きを簡単に変えることができるので、様々な向きで締結されたボルトのトルク掛けを練習することができて効果的な技術習得を図ることができ、しかも、傾斜角度の異なる複数の雌ネジプレートを用意する必要がなく、工場内で組み立て作業に使用している既存のワーク反転機を流用することもできるので、トルク掛け練習機にかかる設備コストを大幅に削減することもできる。
【図面の簡単な説明】
【００１８】
【図１】本発明を実施する形態の一例を示す斜視図である。
【図２】図１のトルク掛け練習機での練習の様子を示す斜視図である。
【図３】図１の雌ネジプレートの詳細を示す斜視図である。
【図４】図３の雌ネジプレートにおけるボルト穴の配置図である。
【図５】正ネジのボルトについて概略的に示す側面図である。
【図６】逆ネジのボルトについて概略的に示す側面図である。
【図７】雌ネジプレートの向きを変えた練習の様子を示す斜視図である。
【図８】悪い姿勢でのトルク掛けの様子を示す斜視図である。
【図９】育成対象者が体勢を崩した時の様子を示す斜視図である。
【発明を実施するための形態】
【００１９】
以下、本発明の実施の形態を図面を参照しつつ説明する。
【００２０】
図１〜図９は本発明を実施する形態の一例を示すもので、図中１はトルクレンチ２を用いてボルト３を目標トルクまで締め上げるトルク掛けの練習を行うためのトルク掛け練習機を示し、このトルク掛け練習機１は、正ネジのボルト穴４（図３及び図４参照）及び逆ネジのボルト穴４’（図３及び図４参照）を混在させて複数箇所に穿設した雌ネジプレート５と、該雌ネジプレート５を前後・表裏を変えて着脱可能なベース部材であるシリンダブロック６と、前記雌ネジプレート５におけるネジ溝が対応するボルト穴４，４’に対し螺合可能で且つ互いに同じ外観のボルトヘッドを持つ正ネジのボルト３（図５参照）及び逆ネジのボルト３’（図６参照）と、前記シリンダブロック６をワークとして前記雌ネジプレート５と共に回転可能に支持するワーク反転機７とにより構成されている。
【００２１】
即ち、ここに図示している例では、シリンダヘッドボルトをボルト３で代用して目標トルクまで締め上げる場合のトルク掛けを想定しており、雌ネジプレート５を支えるベース部材としてシリンダブロック６を採用し、該シリンダブロック６の上部に円筒状のスペーサ８を挟んでシリンダヘッド上面と同じ高さに雌ネジプレート５を配置し、該雌ネジプレート５の四隅を実物のシリンダヘッドボルト９により前記スペーサ８内を通して前記シリンダブロック６の上部に締結するようにしている（図３参照）。
【００２２】
ここで、図４に拡大して示す如く、前記雌ネジプレート５における正ネジのボルト穴４（図４中に黒丸で示す）と逆ネジのボルト穴４’（図４中に白丸で示す）とはランダムな配列で混在するようにしてあり、前記雌ネジプレート５を前後・表裏を変えてシリンダブロック６に付け直すことで四通りの配列パターンを選択できるようになっている。
【００２３】
尚、本形態例における正ネジとは、時計回りに締め込まれるようにした通常のネジ形式のことを指し、逆ネジとは、反時計回りに締め込まれるようにした通常とは反対のネジ形式のことを指している。
【００２４】
また、前記ワーク反転機７は、鉄骨や大型のフレーム等といったサイズや重量により取り回しが困難なワークを支持して任意な向きに回転し、溶接や切断、部品の取り付け等の作業を無理のない姿勢で行えるようにした従来周知の補助装置であり、工場内で組み立て作業に使用している既存の設備を流用することができる。
【００２５】
而して、ネジ溝が対応するボルト穴４，４’に対し正ネジのボルト３及び逆ネジのボルト３’を予め締結した雌ネジプレート５をシリンダブロック６に装着した状態として準備し、例えば、図２に示す如く、雌ネジプレート５が上面を成すようにして、ＯＪＴ等に参加している育成対象者１０に一人ずつボルト３，３’の目標トルクまでの増し締めを指示すると、その育成対象者１０に上面トルク掛けを練習させることが可能となり、また、図７に示す如く、ワーク反転機７によりシリンダブロック６を雌ネジプレート５と共に９０°回転して該雌ネジプレート５の向きを変えれば、その育成対象者１０に側面トルク掛けを練習させることが可能となる。
【００２６】
この際、逆ネジのボルト３’に当たった育成対象者１０が、増し締めをするつもりで力を込めてトルクレンチ２を回動させた際に、思いがけずボルト３’が緩んでトルクレンチ２が勢い良く回動し、その作業姿勢が不適切な姿勢（図８参照）であると育成対象者１０が大きく体勢を崩す結果（図９参照）となり、実演中の育成対象者１０はもとより、その様子を目の当たりにした他の育成対象者１０らも、推奨姿勢でトルク掛けを行うことの重要性を実感することになる。
【００２７】
この際、正ネジのボルト３と逆ネジのボルト３’とは同じ外観のボルトヘッドとなっていて、雌ネジプレート５に締結された状態では見分けがつかないようになっているため、緊張感を維持しながらも、誰が逆ネジのボルト３’に当たるか判らないというゲーム的要素を備えた研修を行うことが可能となり、これによって、育成対象者１０の積極的な参加意欲を喚起することも可能となる。
【００２８】
尚、前述した通り、前記雌ネジプレート５は、シリンダブロック６に対し前後・表裏を変えて付け直すことで四通りの配列パターンを選択することが可能であるので、雌ネジプレート５における逆ネジのボルト３’の締結箇所をその都度変更し、同じ育成対象者１０が何度参加しても逆ネジのボルト３’の締結箇所を記憶できないようにすることが可能である。
【００２９】
また、特に本形態例にあっては、ワーク反転機７によりシリンダブロック６をワークとして雌ネジプレート５と共に回転可能に支持し、該雌ネジプレート５の向きを前記シリンダブロック６ごと変更してトルクレンチ２によるボルト３，３’のトルク掛けを練習し得るように構成しているので、前記ワーク反転機７によりシリンダブロック６を雌ネジプレート５と共に回転して該雌ネジプレート５の向きを簡単に変えることが可能となり、様々な向きで締結されたボルト３，３’のトルク掛けを練習することが可能となる。
【００３０】
従って、上記形態例によれば、緊張感を維持しながらも、誰が逆ネジのボルト３’に当たるか判らないというゲーム的要素を備えた研修を行うことができるので、育成対象者１０の積極的な参加意欲を喚起することができ、しかも、実演中の育成対象者１０だけでなく他の育成対象者１０らも推奨姿勢でトルク掛けを行うことの重要性を実感することができ、育成対象者１０らへの教育効果を従来より大幅に向上することができる。
【００３１】
また、ワーク反転機７によりシリンダブロック６を雌ネジプレート５と共に回転して該雌ネジプレート５の向きを簡単に変えることができるので、様々な向きで締結されたボルト３，３’のトルク掛けを練習することができて効果的な技術習得を図ることができ、しかも、傾斜角度の異なる複数の雌ネジプレート５を用意する必要がなく、工場内で組み立て作業に使用している既存のワーク反転機７を流用することもできるので、トルク掛け練習機１にかかる設備コストを大幅に削減することもできる。
【００３２】
尚、本発明のトルク掛け練習機は、上述の形態例にのみ限定されるものではなく、ベース部材は必ずしもシリンダブロックに限定されないこと、その他、本発明の要旨を逸脱しない範囲内において種々変更を加え得ることは勿論である。
【符号の説明】
【００３３】
１      トルク掛け練習機
２      トルクレンチ
３      正ネジのボルト
３’    逆ネジのボルト
４      正ネジのボルト穴
４’    逆ネジのボルト穴
５      雌ネジプレート
６      シリンダブロック（ベース部材）
７      ワーク反転機
【図１】
2019035904.tif 000003
【図２】
2019035904.tif 000004
【図３】
2019035904.tif 000005
【図４】
2019035904.tif 000006
【図５】
2019035904.tif 000007
【図６】
2019035904.tif 000008
【図７】
2019035904.tif 000009
【図８】
2019035904.tif 000010
【図９】
2019035904.tif 000011